(57)【要約】【課題】雪中に埋没しても容易に発見することができる携帯端末及びその制御方法を提供すること。【解決手段】本発明の一形態である携帯端末１００は、筐体５１、発熱機構部１９１及び１９２、姿勢情報取得部８、制御部１を有する。発熱機構部１９１及び１９２は、それぞれ異なる位置に設けられる。姿勢情報取得部８は、筐体５１の姿勢情報を取得する。制御部１は、姿勢情報に応じて、発熱機構部１９１及び１９２のうち上方側の発熱機構部１９１を選択的に発熱させる。【選択図】図３Ａ
2012169877.tif 000002
【特許請求の範囲】
【請求項１】
筐体と、
それぞれ異なる位置に設けられた複数の発熱手段と、
前記筐体の姿勢情報を取得する姿勢情報取得手段と、
前記姿勢情報に応じて、前記複数の発熱手段のうち上方側の発熱手段を選択的に発熱させる制御手段と、を備える、
携帯端末。
【請求項２】
前記複数の発熱手段は、前記筐体の表面に露出し、又は前記筐体の内部に内蔵されることを特徴とする、
請求項１に記載の携帯端末。
【請求項３】
信号の送受信を行うアンテナをさらに備え、
前記制御手段は、前記アンテナを介して受信する信号に応じて前記姿勢制御手段に前記姿勢情報を取得させ、前記姿勢情報に応じて選択した前記上方側の発熱手段の発熱を開始することを特徴とする、
請求項１又は２に記載の携帯端末。
【請求項４】
バッテリをさらに備え、
前記制御手段は、前記上方側の発熱手段の発熱を開始する前に前記バッテリの充電容量が所定値よりも少ない場合には、前記上方側の発熱手段の発熱を中止することを特徴とする、
請求項１乃至３のいずれか一項に記載の携帯端末。
【請求項５】
前記制御手段は、前記上方側の発熱手段の発熱を開始した後に前記バッテリの充電容量が所定値よりも少なくなった場合には、前記上方側の発熱手段の発熱を中止することを特徴とする、
請求項４に記載の携帯端末。
【請求項６】
照射される光を検出する光検出手段をさらに備え、
前記光検出手段が検出した光の強度が所定値よりも大きい場合には、前記制御手段は、前記上方側の発熱手段の発熱を中止することを特徴とする、
請求項１乃至５のいずれか一項に記載の携帯端末。
【請求項７】
当該携帯端末の前記複数の発熱手段以外の部分に前記発熱による熱が伝導することを抑制する防熱手段をさらに備えることを特徴とする、
請求項１乃至６のいずれか一項に記載の携帯端末。
【請求項８】
当該携帯情報端末への液体の侵入を防止する防護手段をさらに備えることを特徴とする、
請求項１乃至７のいずれか一項に記載の携帯端末。
【請求項９】
筐体の姿勢情報を取得し、
前記姿勢情報に応じて、それぞれ異なる位置に設けられた複数の発熱手段のうち上方側の発熱手段を選択的に発熱させる、
携帯端末の制御方法。
【発明の詳細な説明】
【技術分野】
【０００１】
本発明は携帯端末及びその制御方法に関し、特に紛失した場合に探索が可能な携帯端末及びその制御方法に関する。
【背景技術】
【０００２】
携帯電話機、ＰＨＳ（Personal Handyphone System）、ＰＤＡ（Personal Data Assistance,Personal Digital Assistants：個人向け携帯型情報通信機器）等の携帯端末は、小型軽量であり持ち運びに便利である。そのため、持ち運びの途中に携帯端末を紛失してしまう恐れがある。よって、携帯端末の中には、紛失時に携帯端末の探索を容易にする機能を有するものがある。
【０００３】
例えば、探索者が探索対象携帯端末に接近した場合に、探索対象携帯端末が光や音により位置を報知する手法が提案されている（特許文献１）。この手法では、探索者は、紛失した親機（探索対象携帯端末）の概略位置を、ＧＰＳ（Global Positioning System）を用いて認識する。探索者は、親機の概略位置情報を基に、親機を探索する。探索者が親機から所定の範囲内に接近すると、探索者が所持している子機が、親機と通信を開始する。そして、子機は、バイブレータにより、探索者が親機に所定の範囲内に接近していることを、探索者に報知する。また、親機は、光や音を発することにより、自己の位置を探索者に報知する。これにより、探索者は、探索対象携帯端末を発見することができる。
【０００４】
また、探索者と紛失中の携帯端末との位置に応じて、携帯端末の探索方法を変更する手法が提案されている（特許文献２）。この手法では、紛失中の携帯端末と探索用携帯端末との距離が無線ＵＳＢ通信の通信可能距離内である場合に、紛失中の携帯端末と探索用携帯端末とが、直接的に無線ＵＳＢ通信を行う。探索用携帯端末は、通信結果から、紛失中の携帯端末までの距離を表示する。これにより、外乱の影響でＧＰＳの使用が難しい屋内などでも、携帯端末を探索することができる。
【先行技術文献】
【特許文献】
【０００５】
【特許文献１】特開２００３−２８４１５４号公報
【特許文献２】特開２００８−１４８１６６号公報
【発明の概要】
【発明が解決しようとする課題】
【０００６】
しかし、発明者が上述の手法について検討したところ、上述の手法には以下の問題点があることを見出した。紛失した携帯端末が雪に埋もれてしまった場合には、探索者は携帯端末を視認することができなくなってしまう。よって、紛失した携帯端末が音や光を発したとしても、探索者が認識することは困難である。さらに、積雪地帯では、周りの景色も雪一色となり、探索の手がかりが極端に少なくなる。そのため、通常の天候や積雪地帯以外の地域で携帯端末の探索を行う場合に比べ、携帯端末の発見はより困難となる。
【０００７】
また、雪中では音や光は吸収されてしまうので、探索者が紛失した携帯端末からの音や光を認識するのは、更に困難となる。その結果、上述の手法により、探索者が紛失した携帯端末に接近しても、紛失した携帯端末を発見することは困難である。
【０００８】
本発明は、上記の事情に鑑みて為されたものであり、本発明の目的は、雪中に埋没しても容易に発見することができる携帯端末及びその制御方法を提供することである。
【課題を解決するための手段】
【０００９】
本発明の一形態である携帯端末は、筐体と、それぞれ異なる位置に設けられた複数の発熱手段と、前記筐体の姿勢情報を取得する姿勢情報取得手段と、前記姿勢情報に応じて、前記複数の発熱手段のうち上方側の発熱手段を選択的に発熱させる制御手段と、を備えるものである。
【００１０】
本発明の一形態である携帯端末の制御方法は、筐体の姿勢情報を取得し、前記姿勢情報に応じて、それぞれ異なる位置に設けられた複数の発熱手段のうち上方側の発熱手段を選択的に発熱させるものである。
【発明の効果】
【００１１】
本発明によれば、雪中に埋没しても容易に発見することができる携帯端末及びその制御方法を提供することができる。
【図面の簡単な説明】
【００１２】
【図１】実施の形態１にかかる携帯端末１００の要部の構成を示すブロック図である。
【図２Ａ】実施の形態１にかかる携帯端末１００において発熱機構部が設けられる位置を模式的に示す斜視図である。
【図２Ｂ】実施の形態１にかかる携帯端末１００において発熱機構部が設けられる位置を模式的に示す斜視図である。
【図３Ａ】紛失した携帯端末１００が雪に埋もれた状況を示す図である。
【図３Ｂ】紛失した携帯端末１００が融雪処理により露出した状況を示す図である。
【図４】実施の形態１にかかる携帯端末１００を紛失した場合の探索方法を示すフローチャートである。
【図５】実施の形態１にかかる探索用端末１０１の要部の構成を示すブロック図である。
【図６】実施の形態２にかかる携帯端末２００が融雪処理により露出した状況を示す図である。
【発明を実施するための形態】
【００１３】
以下、図面を参照して本発明の実施の形態について説明する。各図面においては、同一要素には同一の符号が付されており、必要に応じて重複説明は省略される。
【００１４】
実施の形態１
まず、実施の形態１にかかる携帯端末について説明する。図１は、実施の形態１にかかる携帯端末１００の要部の構成を示すブロック図である。携帯端末１００は、図１に示すように、制御部１、記憶部２、表示部３、操作部４、報知部５、無線通信部６、位置情報取得部７、姿勢情報取得部８、発熱機構部９、防熱機構部１０、防水機構部１１、アンテナ１２及び筐体５１を有する。
【００１５】
制御部１は、例えばＣＰＵ（Central Processing Unit）を含み、携帯端末１００の動作を制御する制御手段として機能する。つまり、制御部１は、例えば記憶部２、表示部３、操作部４、報知部５、無線通信部６、位置情報取得部７、姿勢情報取得部８及び発熱機構部９の動作を制御する。なお、制御部１、記憶部２、表示部３、操作部４、報知部５、無線通信部６、位置情報取得部７、姿勢情報取得部８及び発熱機構部９には、バッテリ（不図示）から電源が供給される。
【００１６】
記憶部２は、制御部１が携帯端末１００の動作制御を行うにために必要な情報を格納する記憶手段として機能する。記憶部２は、例えばＲＡＭなどの記憶媒体により構成される。表示部３は、制御部１からの指令に応じて、携帯端末１００のユーザが利用する情報を表示する表示手段として機能する。操作部４は、キー入力などにより、携帯端末１００のユーザが携帯端末１００への情報入力を行うための操作手段として機能する。報知部５は、サウンドスピーカ、ＬＥＤ及び振動モータなどを有し、制御部１からの指令により、通話の着信やメールの着信等を利用者に報知する報知手段として機能する。
【００１７】
無線通信部６は、アンテナ１２を介して、外部との通信を行う無線通信手段として機能する。無線通信部６は、アンテナ１２を介して、制御部１からの情報を外部に送信する。また、無線通信部６は、アンテナ１２を介して、外部からの信号を受信し、受信した信号を制御部１へ転送する。
【００１８】
位置情報取得部７は、基地局情報等を基に、携帯端末１００の現在位置を取得する位置情報取得手段として機能する。そして、位置情報取得部７は、取得した位置情報を制御部１へ通知する。制御部１は、位置情報取得部７の位置情報の取得動作を制御することも可能である。
【００１９】
姿勢情報取得部８は、携帯端末１００の姿勢情報を取得する姿勢情報取得手段として機能する。そして、姿勢情報取得部８は、取得した姿勢情報を制御部１へ通知する。制御部１は、姿勢情報取得部８の姿勢情報の取得動作を制御することも可能である。
【００２０】
発熱機構部９は、複数個設けられ、筐体５１の表面又は筐体５１の内部に表面に沿うように配置される。なお、図１では、図の簡略化のため、発熱機構部９を一つのみ表示している。発熱機構部９は、制御部１の制御により発熱する発熱手段としてとして機能する。これにより、携帯端末１００の温度を上昇させることができる。以下、発熱機構部について詳しく説明する。図２Ａ及び図２Ｂは、携帯端末１００において発熱機構部が設けられる位置を模式的に示す斜視図である。図２Ａ及びＢでは、直接視認できない位置にある輪郭線を破線で表示している。また、図２Ａ及びＢでは、図面を簡略化するため、携帯端末１００及び発熱機構部の輪郭線のみを表示している。
【００２１】
携帯端末１００では、例えば図２Ａに示すように、発熱機構部１９１及び１９２が設けられる。発熱機構部１９１及び１９２は、図１に示す発熱機構部９に相当する。発熱機構部１９１は携帯端末１００、すなわち筐体５１の上面側に設けられ、発熱機構部１９２は、携帯端末１００、すなわち筐体５１の下面側に設けられる。
【００２２】
また、携帯端末１００では、例えば図２Ｂに示すように、発熱機構部１９３〜１９６が設けられる。発熱機構部１９３〜１９６は、図１に示す発熱機構部９に相当する。発熱機構部１９３〜１９６は、携帯端末１００、すなわち筐体５１の側面のそれぞれに設けられる。
【００２３】
すなわち、本実施の形態においては、携帯端末１００が外気に触れる外装部分に、発熱機構部が搭載される。発熱機構部は、筐体の外部に露出して設けることもできるし、筐体内部に内蔵することもできる。
【００２４】
防熱機構部１０は、発熱機構部９から発せられる熱が、携帯端末１００の内部に伝導することを防止する防熱手段として機能する。これにより、携帯端末１００の内部の高温に弱い部分が、熱により故障することを防止することができる。防水機構部１１は、携帯端末１００の内部に水などの液体が浸入することを防止する防護手段として機能する。これより、携帯端末１００内部回路の故障を防ぐことができる。
【００２５】
続いて、携帯端末１００を紛失した場合の探索方法について説明する。図３Ａは、紛失した携帯端末１００が雪に埋もれた状況を示す図である。携帯端末１００の発熱機構部は図２Ａに示す位置に設けられているものとする。例えば寒冷地で携帯端末を紛失すると、その後の降雪などにより、携帯端末１００は雪１０３に埋もれてしまう。本実施の形態では、この状況で、探索用端末１０１を用いて、携帯端末１００の探索を行う。
【００２６】
図４は、携帯端末１００を紛失した場合の探索方法を示すフローチャートである。まず、探索用端末１０１が、無線通信により、携帯端末１００へ向けて雪中位置通知命令１０２を発令する。携帯端末１００は、探索用端末１０１からの雪中位置通知命令１０２を受信する（ステップＳ１）。
【００２７】
雪中位置通知命令１０２を受信すると、携帯端末１００は、携帯端末１００自身の姿勢情報取得処理を行う（ステップＳ２）。すなわち、携帯端末１００は、携帯端末１００（筐体５１）のいずれの面が上方、すなわち雪面に向いているかを、姿勢情報として認識する。姿勢情報は、例えば加速度センサにより重力加速度を検出することにより、得ることが可能である（ステップＳ３）。
【００２８】
携帯端末１００は、ステップＳ２で取得した姿勢情報に基づき、携帯端末１００に設けられた発熱機構部のうち、上方側の発熱機構部を発熱させる。すなわち、携帯端末１００は、雪１０３の表層側に近い発熱機構部１９１を発熱させる融雪処理を行う。これにより、携帯端末１００の上方に積もった雪を融かすことができる（ステップＳ４）。図３Ｂは、紛失した携帯端末１００が融雪処理により露出した状況を示す図である。図３Ｂに示すように、携帯端末１００は、融雪処理により雪中から露出し、探索者は携帯端末１００を視認することが可能となる。
【００２９】
なお、融雪処理の際に発熱機構部から熱が発生するが、防熱機構部１０が、発生した熱が携帯端末１００の内部回路に伝導することを防止する。また、雪が融けることにより水が生じるが、防水機構部１１が、水が携帯端末１００の内部回路に侵入することを防止する。すなわち、携帯端末１００は、防熱機構部１０及び防水機構部１１を有することにより、携帯端末１００を故障させることなく、融雪処理を行うことができる。
【００３０】
融雪処理と共に、報知部５が報知処理を行い、携帯端末１００の位置を探索者に通知する（ステップＳ５）。報知処理の例としては、音を発する、光を発する、携帯端末１００を振動させるなどの通知方法を用いることができる。
【００３１】
続いて、探索用端末１０１について説明する。図５は、実施の形態１にかかる探索用端末１０１の要部の構成を示すブロック図である。探索用端末１０１は、制御部２１、記憶部２２、表示部２３、操作部２４、無線通信部２６、アンテナ３２及び筐体５２を有する。制御部２１、記憶部２２、表示部２３、操作部２４、無線通信部２６、アンテナ３２及び筐体５２は、携帯端末１００の制御部１、記憶部２、表示部３、操作部４、無線通信部６、アンテナ１２及び筐体５１のそれぞれと同様の機能を有するものであるので、説明を省略する。すなわち、探索用端末１０１には、携帯端末１００と同様の構成を有する携帯端末を用いることが可能である。
【００３２】
上述のように、本構成によれば、紛失した携帯端末が雪中に埋没した場合でも、融雪処理により紛失した携帯端末を露出させることができる。よって、本構成によれば、雪中に埋没した場合でも容易に発見することができる携帯端末及びその制御方法を提供することができる。
【００３３】
実施の形態２
次に、実施の形態２にかかる携帯端末について説明する。図６は、実施の形態２にかかる携帯端末２００が融雪処理により露出した状況を示す図である。携帯端末２００は、図６に示すように、携帯端末１００に光センサ４１及び４２を追加した構成を有する。光センサ４１及び４２は、携帯端末２００に照射される光を検出する光検出手段として機能する。携帯端末２００のその他の構成は、携帯端末１００と同様であるので、説明を省略する。
【００３４】
携帯端末２００が融雪処理により雪中から露出すると、携帯端末２００には環境から光（例えば太陽光）が照射される。上方側に設けられた光センサ４１は、環境からの光を受ける。制御部１は、光センサ４１で受けた光の強度が予め設定された値よりも大きい場合には、発熱機構部１９１の発熱を中止する。つまり、携帯端末２００が露出した時点で、融雪処理を終了させることができる。その結果、余分な発熱を防止し、バッテリの消耗を防ぐことが可能である。
【００３５】
なお、本発明は上記実施の形態に限られたものではなく、趣旨を逸脱しない範囲で適宜変更することが可能である。例えば、携帯端末が雪に埋もれた場合、携帯端末と雪との間に空間が生じる場合が有る。この場合、携帯端末の報知用の振動機能を用いることにより周囲の雪を崩落させ、雪を携帯端末に接触させることができる。これにより、効果的に融雪処理を行うことが可能である。
【００３６】
携帯端末のバッテリの充電レベルが十分でない場合は、その旨を探索用端末に通知することもできる。この場合、バッテリの充電レベルが基準レベル以下である場合には、消費電力が大きい融雪処理の実行を禁止して、バッテリの消耗を防止できる。これにより、融雪よりも消費電力小さいＧＰＳなどの他の探索機能をだけを有効にし、携帯端末の探索が不可能となる事態を防ぐことが可能である。また、融雪処理の実行中にバッテリの充電レベルが基準レベル以下となった場合でも、融雪処理を停止させることも可能である。
【００３７】
また、上述の実施の形態では、箱型の形状を有する携帯端末について説明したが、携帯端末の形状はこの例に限られない。例えば、携帯端末の形状は、角が丸められた形状や楕円形の断面形状を有する形状であってもよい。また、携帯端末の形状は、ヒンジ部を中心として２つの部分折りたたむことができる形状であってもよい。さらに、上下に重ねられた２つの部分がスライドすることにより、携帯端末の全長が伸長する形状であってもよい。
【００３８】
上述の実施の形態では、携帯端末の上面及び下面、又は、側面に防熱機構部が設けられる例について説明したが、防熱機構部の配置はこれらの例に限られない。防熱機構部は、例えば、上面、下面及び側面の全てに配置することも可能である。
【００３９】
上述の実施の形態にかかる携帯端末は、特定の端末に限られるものではなく、例えば、携帯電話、通信機能を有するカメラ、通信機能を有するメディアプレイヤー等などの通信機能を有する携帯端末を含む。
【符号の説明】
【００４０】
１、２１  制御部
２、２２  記憶部
３、２３  表示部
４、２４  操作部
５  報知部
６、２６  無線通信部
７  位置情報取得部
８  姿勢情報取得部
９、１９１〜１９６  発熱機構部
１０  防熱機構部
１１  防水機構部
１２、３２  アンテナ
４１、４２  光センサ
５１、５２  筐体
１００、２００  携帯端末
１０１  探索用端末
１０２  雪中位置通知命令
１０３  雪
【図１】
2012169877.tif 000003
【図２Ａ】
2012169877.tif 000004
【図２Ｂ】
2012169877.tif 000005
【図３Ａ】
2012169877.tif 000006
【図３Ｂ】
2012169877.tif 000007
【図４】
2012169877.tif 000008
【図５】
2012169877.tif 000009
【図６】
2012169877.tif 000010